(57)【要約】【課題】洗髪に適した量の泡を生成することができるヘアブラシを提供する。【解決手段】泡立機能を有するヘアブラシ４であって、ブラシ１１ｃが配置された底部１１ｅを有するブラシ台１１１と、ブラシ台１１１が取り付けられ、ブラシ台１１１との間に空間を画成する本体ケース１０１と、空間に収容される泡立用スポンジ１４と、底部１１ｅと泡立用スポンジ１４との間に配置され、複数の貫通孔１５ａが形成された板部材１５と、を備え、底部１１ｅは、可撓性を有する材料からなり、ブラシ１１ｃが形成された外部底面１１ｇ及び空間を画成する内部底面１１ｆを有し、底部１１ｅには、空間に連通する貫通孔１１ｂが複数形成され、板部材１５は、底部１１ｅに比べて撓み難く、本体ケース１０の空間側の主面１０ｄには、泡立用突起が複数配置される。【選択図】図１９
2011104330.tif 000002
【特許請求の範囲】
【請求項１】
泡立機能を有するヘアブラシであって、
ブラシが配置されたブラシ基板を有するブラシ台と、
前記ブラシ台が取り付けられ、前記ブラシ台との間に空間を画成する本体ケースと、
前記空間に収容される泡立用スポンジと、
前記泡立用スポンジと前記ブラシ基板との間に配置され、複数の貫通孔が形成された板部材と、
を備え、
前記ブラシ基板は、可撓性を有する材料からなり、前記ブラシが形成された第１主面及び前記空間を画成する第２主面を有し、
前記ブラシ基板には、前記空間に連通する貫通孔が複数形成され、
前記板部材は、前記ブラシ基板に比べて撓み難く、
前記本体ケースの前記空間側の主面には、泡立用突起が複数配置されること、
を特徴とするヘアブラシ。
【請求項２】
前記第１主面には、前記泡立用突起及び前記板部材を前記泡立用スポンジに押し当てるのに必要な負荷を前記ブラシ基板に与えるための押圧用突起が形成されることを特徴とする請求項１に記載のヘアブラシ。
【請求項３】
前記押圧用突起は、前記ブラシ基板の中央に配置され、前記ブラシの高さよりも低く形成されることを特徴とする請求項２に記載のヘアブラシ。
【請求項４】
前記第２主面には、泡立用突起が複数配置され、
前記第２主面側における複数の前記泡立用突起の少なくとも一部は、前記本体ケース側の前記泡立用突起に対向する位置に配置されることを特徴とする請求項２又は３の何れか一項に記載のヘアブラシ。
【請求項５】
前記第２主面側の複数の前記泡立用突起には、前記第１主面の前記押圧用突起に対応する位置に設けられた第１突起が含まれており、
前記本体ケース側の複数の前記泡立用突起には、前記第１突起に対向する位置に設けられた第２突起が含まれること、
を特徴とする請求項４に記載のヘアブラシ。
【請求項６】
前記第２主面側の複数の前記泡立用突起には、前記第１突起の周囲に設けられた第３突起が含まれており、
前記本体ケース側の複数の前記泡立用突起には、前記第３突起に対向する位置に設けられた第４突起が含まれており、
前記ブラシ基板が撓んだ際に、前記泡立用スポンジ及び前記板部材を挟んで前記第３突起と前記第４突起とが押し当てられる前に、前記泡立用スポンジ及び前記板部材を挟んで前記第１突起と前記第２突起とが押し当てられるように、前記第１突起、前記第２突起、前記第３突起及び前記第４突起の高さが調整されること、
を特徴とする請求項５に記載のヘアブラシ。
【請求項７】
前記第２主面側の複数の前記泡立用突起には、前記第１突起の周囲に設けられた第５突起が含まれており、
前記本体ケース側の複数の前記泡立用突起には、前記第５突起に対向する位置に設けられた第６突起が含まれており、
前記ブラシ基板が撓んだ際に、前記泡立用スポンジ及び前記板部材を挟んで前記第１突起と前記第２突起とが押し当てられる前に、前記泡立用スポンジ及び前記板部材を挟んで前記第５突起と前記第６突起とが押し当てられるように、前記第１突起、前記第２突起、前記第５突起及び前記第６突起の高さが調整されること、
を特徴とする請求項５又は６に記載のヘアブラシ。
【請求項８】
前記ブラシ台は、前記本体ケースから着脱可能に取り付けられることを特徴とする請求項１〜７の何れか一項に記載のヘアブラシ。
【発明の詳細な説明】
【技術分野】
【０００１】
本発明は、ヘアブラシに関するものである。
【背景技術】
【０００２】
従来、洗髪の際に用いられるブラシとして、泡立機能を有するものが知られている（例えば、特許文献１参照。）。特許文献１記載のヘアブラシは、略箱状を呈し底板にブラシ、泡吐出口及び石鹸注入口が形成された下ケースと、略箱状を呈し当該下ケースと組み合わせて内部に泡立用スポンジを収容する収容室を形成する上ケースと、当該収容室に収容される泡立用スポンジとを備えている。下ケースの側壁は、上ケースの内壁に接するように組み合わされている。下ケースに負荷が加わると、下ケースが上ケースの内壁に案内されて上昇しスポンジ収容室の容積を縮小する。他方、下ケースに負荷がかからない場合には、弾性材の作用により下ケースが押し下げられて下降しスポンジ収容室の容積を拡大する。下ケースの上下動によりケース内部で生成された泡が泡吐出口から吐出される。
【先行技術文献】
【特許文献】
【０００３】
【特許文献１】実案３１４９９０３号公報
【発明の概要】
【発明が解決しようとする課題】
【０００４】
しかしながら、特許文献１記載のヘアブラシにあっては、下ケースの上下動によって生じるスポンジ収容室の容積の変化のみにより泡立てを行っているため、洗髪に十分な量の泡を生成できない場合がある。
【０００５】
そこで、本発明は、このような技術課題を解決するためになされたものであって、洗髪に適した量の泡を生成することができるヘアブラシを提供することを目的とする。
【課題を解決するための手段】
【０００６】
本発明に係るヘアブラシは、泡立機能を有するヘアブラシであって、ブラシが配置されたブラシ基板を有するブラシ台と、ブラシ台が取り付けられ、ブラシ台との間に空間を画成する本体ケースと、空間に収容される泡立用スポンジと、泡立用スポンジとブラシ基板との間に配置され、複数の貫通孔が形成された板部材と、を備え、ブラシ基板は、可撓性を有する材料からなり、ブラシが形成された第１主面及び空間を画成する第２主面を有し、ブラシ基板には、空間に連通する貫通孔が複数形成され、板部材は、ブラシ基板に比べて撓み難く、本体ケースの空間側の主面には、泡立用突起が複数配置されることを特徴として構成される。
【０００７】
本発明に係るヘアブラシでは、複数の貫通孔が形成された可撓性を有するブラシ基板を備えるブラシ台が、本体ケースに取り付けられることで、ブラシ台と本体ケースとの間に空間が画成される。そして、当該空間には、泡立用スポンジが配置されるとともに、ブラシ基板と泡立用スポンジとの間に板部材が配置される。さらに、当該空間を画成する本体ケースの主面には、泡立用突起が複数配置されている。このように構成することで、ヘアブラシ内部の空間に、複数の貫通孔を介して、水、空気、石鹸水、シャンプー等（以下、石鹸水及び空気等という）を流入させることができる。そして、負荷に応じて可撓性を有するブラシ基板が撓むことにより、泡立用突起を泡立用スポンジに押し当てながら泡立用スポンジを圧縮することが可能となる。さらに、ブラシ基板が撓むことにより、ブラシ基板と泡立用スポンジとの間に配置された板部材に負荷が加わる。ここで、板部材はブラシ基板よりも撓み難いため大きく変形することなく泡立用スポンジに押し当てられる。このため、泡立用スポンジ全体に負荷を加えることができるので、泡立用スポンジを広範囲で圧縮することが可能となるとともに、泡立用突起を泡立用スポンジに好適に押し当てることができる。また、板部材には貫通孔が形成されているので、泡立用スポンジの泡が板部材の貫通孔及びブラシ基板の貫通孔を通過して吐出される。このように、泡立用スポンジの泡が板部材に遮られることを回避することができるので、泡立用スポンジの泡を好適にヘアブラシ外部へ吐出することが可能となる。よって、ヘアブラシ内部において洗髪に適した量の泡を生成することができるとともに、生成された泡をブラシ基板の貫通孔から吐出させることが可能となる。また、本体ケースとブラシ基板との位置関係が大きく変化することがないので、泡立て機能と洗髪時におけるブラシの使用感とを簡易な構成で両立させることができる。
【０００８】
ここで、第１主面には、泡立用突起及び板部材を泡立用スポンジに押し当てるのに必要な負荷をブラシ基板に与えるための押圧用突起が形成されることが好適である。このように構成することで、ブラシ基板に負荷を掛け易くすることができる。
【０００９】
また、押圧用突起は、ブラシ基板の中央に配置され、ブラシの高さよりも低く形成されることが好適である。このように構成することで、押圧用突起を設けても洗髪時に邪魔とならず、かつ、ブラシ基板の中央を押圧するように誘導することができる。ブラシ基板の中央を押圧させることにより、泡立用スポンジに含まれる石鹸水及び空気等を空間内に均一に拡散させることができるので、泡立機能を一層高めることが可能となる。
【００１０】
ここで、第２主面には、泡立用突起が複数配置され、第２主面側における複数の泡立用突起の少なくとも一部は、本体ケース側の泡立用突起に対向する位置に配置されることが好適である。このように構成することで、ブラシ基板が撓んだ際に、泡立用突起同士が泡立用スポンジ及び板部材を介して押し当てられるため、泡立用スポンジを適切に圧縮することができる。よって、ヘアブラシ内部において洗髪に適した量の泡を生成することができる。
【００１１】
また、第２主面側の複数の泡立用突起には、第１主面の押圧用突起に対応する位置に設けられた第１突起が含まれており、本体ケース側の複数の泡立用突起には、第１突起に対向する位置に設けられた第２突起が含まれることが好適である。このように構成することで、加えられた負荷によって、第１突起及び第２突起で泡立用スポンジを確実に挟み込んで圧縮することができるので、泡立機能を一層高めることが可能と成る。
【００１２】
また、第２主面側の複数の泡立用突起には、第１突起の周囲に設けられた第３突起が含まれており、本体ケース側の複数の泡立用突起には、第３突起に対向する位置に設けられた第４突起が含まれており、ブラシ基板が撓んだ際に、泡立用スポンジ及び板部材を挟んで第３突起と第４突起とが押し当てられる前に、泡立用スポンジ及び板部材を挟んで第１突起と第２突起とが押し当てられるように、第１突起、第２突起、第３突起及び第４突起の高さが調整されることが好適である。
【００１３】
このように構成することで、第３突起及び第４突起の泡立用スポンジ側の端部のうち少なくとも一方は、第１突起及び第２突起の泡立用スポンジ側の端部に比べて、泡立用スポンジから離れた位置となる。このため、例えば、第３突起及び第４突起の少なくとも一方の端部と泡立用スポンジとの間に空間を画成して、当該空間に石鹸水及び空気等を配置することができる。また、ブラシ基板が撓んだ場合、第３突起及び第４突起によって挟まれる泡立用スポンジ部分は、第１突起及び第２突起によって挟まれる泡立用スポンジ部分に比べて、圧縮により押し出す石鹸水及び空気等を少なくすることができる。このため、第１突起及び第２突起によって挟まれる泡立用スポンジ部分の周囲の泡立用スポンジ部分には、石鹸水及び空気等を含ませて配置しておくことができる。すなわちブラシ基板が撓んだ場合、第１突起及び第２突起によって泡立用スポンジ部分が挟まれて当該部分から石鹸水及び空気等が押し出されるとともに、押し出した石鹸水及び空気等と、周りに配置された石鹸水及び空気等とを混ぜ合わせることができるので、泡立機能を一層高めることが可能となる。
【００１４】
また、第２主面側の複数の泡立用突起には、第１突起の周囲に設けられた第５突起が含まれており、本体ケース側の複数の泡立用突起には、第５突起に対向する位置に設けられた第６突起が含まれており、ブラシ基板が撓んだ際に、泡立用スポンジ及び板部材を挟んで第１突起と第２突起とが押し当てられる前に、泡立用スポンジ及び板部材を挟んで第５突起と第６突起とが押し当てられるように、第１突起、第２突起、第５突起及び第６突起の高さが調整されることが好適である。
【００１５】
このように構成することで、第１突起及び第２突起の泡立用スポンジ側の端部のうち少なくとも一方は、第５突起及び第６突起の泡立用スポンジ側の端部に比べて、泡立用スポンジから離れた位置となる。このため、例えば、第１突起及び第２突起の少なくとも一方の端部と泡立用スポンジとの間に空間を画成して、当該空間に石鹸水及び空気等を配置することができる。これにより、混ぜ合わせの効果を一層高めることができる。また、ブラシ基板が撓んだ際に、泡立用スポンジを挟んで第５突起と第６突起とが押し当てられるので、第５突起の配置位置よりも縁側（外側）のブラシ基板の撓み量を所定以上とならないようにすることが可能となる。これによって、本体ケースやブラシ基板の過度の撓みを抑制することができるので、ヘアブラシの使用感を向上させることが可能となる。
【００１６】
さらに、ブラシ台は、本体ケースから着脱可能に取り付けられることが好適である。このように構成することで、例えば、泡立用スポンジを取り出して、泡立用スポンジ又はヘアブラシ内部を洗浄することができるので、衛生面からみて優れたヘアブラシを提供することができる。
【発明の効果】
【００１７】
本発明によれば、洗髪に適した量の泡を生成することができる。
【図面の簡単な説明】
【００１８】
【図１】本発明の第１実施形態に係るヘアブラシの斜視図である。
【図２】図１のヘアブラシの分解斜視図である。
【図３】図１中の本体ケースの斜視図である。
【図４】図１中のブラシ台の斜視図である。
【図５】図１に示すヘアブラシのＶ-Ｖ線の断面図である。
【図６】図１に示すヘアブラシのＶＩ-ＶＩ線の断面図である。
【図７】図１に示すヘアブラシの作用効果を説明する概要図である。
【図８】本発明の第２実施形態に係るヘアブラシの分解斜視図である。
【図９】図８中の本体ケースの斜視図である。
【図１０】図８中のブラシ台の斜視図である。
【図１１】図８に示すヘアブラシの縦断面図である。
【図１２】図８に示すヘアブラシの横断面図である。
【図１３】本発明の第３実施形態に係るヘアブラシの斜視図である。
【図１４】図１３のヘアブラシの分解斜視図である。
【図１５】図１３中の本体ケースの斜視図である。
【図１６】図１３中のブラシ台の斜視図である。
【図１７】図１３に示すヘアブラシのＸＶＩＩ-ＸＶＩＩ線の断面図である。
【図１８】図１３に示すヘアブラシのＸＶＩＩＩ-ＸＶＩＩＩ線の断面図である。
【図１９】本発明の第４実施形態に係るヘアブラシの分解斜視図である。
【図２０】図１９中の板部材の平面図である。
【図２１】図１９に示すヘアブラシの作用効果を説明する概要図である。
【図２２】板部材の他の例を示す平面図である。
【発明を実施するための形態】
【００１９】
以下、添付図面を参照して本発明の実施形態について説明する。なお、図面の説明において同一の要素には同一の符号を付し、重複する説明を省略する。また、図中の寸法比率は必ずしも説明中のものとは一致していない。
【００２０】
（第１実施形態）
本実施形態に係るヘアブラシは、例えば、シャンプーや石鹸水を用いて髪を洗髪する際に、好適に採用されるものである。
【００２１】
本実施形態に係るヘアブラシの構成について、図を用いて説明する。図１は、本実施形態に係るヘアブラシの斜視図、図２は、図１のヘアブラシ１の分解斜視図である。図１，２に示すように、ヘアブラシ１は、略楕円柱状を呈しており、本体ケース１０と、複数のブラシ１１ａが下向きに配置されたブラシ台１１と、泡立用スポンジ１４とを備えている。ブラシ台１１は、取付部材１２ａ，１２ｂ、１３ａ，１３ｂによって本体ケース１０の下側に取り付けられており、泡立用スポンジ１４は、ヘアブラシ１の内部に配置されている。
【００２２】
本体ケース１０の構成について詳細を説明する。本体ケース１０は、底面側が開放された箱体であり、ここでは、底面側が開放された中空の略楕円柱状を呈している。本体ケース１０は、例えば、ＡＢＳ樹脂、エラストマ、硬化性を有するプラスチック等により形成される。この本体ケース１０には、その上側の外面にアーチ状の指挿入部１０ａが形成されており、指を通して本体ケース１０を把持可能に構成されている。指挿入部１０ａには、２つの指挿入口が並んで形成されており、２本の指を通して本体ケース１０を把持可能とされている。また、指挿入部１０ａの指挿入口は、本体ケース１０の軸線方向に沿って開口されており、本体ケース１０の軸線方向に沿って指を挿入できるように形成されている。また、本体ケース１０の上側の外面には、指挿入部１０ａに通した指先を引っ掛ける掛止突起１０ｂが形成されている。掛止突起１０ｂは、指挿入部１０ａの指挿入口に対応して形成されている。ここでは、２つの掛止突起１０ｂが１つの指挿入口の開口方向に沿って当該指挿入口を挟んで対向する位置に離間して形成されている。このため、何れの方向から指挿入部１０ａに指が挿入された場合であっても指先を掛止突起１０ｂに引っ掛けることができる。また、本体ケース１０の上側の外面は、指挿入部１０ａに挿入された指の曲げに沿うように中央から軸線方向の端部に向けて傾斜するように形成されている。そして、本体ケース１０の上側の外面は、指挿入部１０ａに挿入した指の位置決めができるように指挿入口に対応して波状に形成されている。このように、本体ケース１０の上側の外面は、２本の指で本体ケース１０を持ち上げることができるとともに、指を本体ケース１０に密着させて好適に把持することができるように形成されている。なお、上述した指挿入部１０ａ又は掛止突起１０ｂは必要に応じて形成すればよい。また、指挿入部１０ａの指挿入口は必要に応じて数を変更してもよい。また、本体ケース１０の上側の外面は、必要に応じて傾斜を形成したり波状に形成したりすればよい。
【００２３】
図３は、図２の本体ケース１０の底面側から見上げた斜視図である。図２，３に示すように、本体ケース１０の側壁の外面には、凹部１０ｈが形成されており、当該凹部１０ｈには複数の開口部１０ｃが形成されている。凹部１０ｈは、軸線方向に直交する方向に沿って対向する位置に２つ形成されている。１つの凹部１０ｈに形成された開口部１０ｃには、図２に示す取付部材１２ａ，１２ｂが一対として取り付けられる。また、本体ケース１０の側壁の下方端部には、下方向に突出した連結凸部１０ｅが側壁端部に沿って形成されている。この連結凸部１０ｅは、ブラシ台１１との連結のために設けられている。
【００２４】
本体ケース１０に装着される取付部材１２ａ，１２ｂについて説明する。図２に示すように、取付部材１２ａは、略箱体であり、例えばＡＢＳ樹脂により形成される。本体ケース１０に取り付けた際に本体ケース１０の側壁の外面と連続するように、本体ケース１０の凹部１０ｈにあわせた大きさ及び形状で形成されている。取付部材１２ａの底面の外側には、突起部１２ｃが形成されている。また、取付部材１２ａの底面の内側には、円柱状に突出した嵌合凸部及び円筒状に突出した嵌合凹部が形成されている。一方、取付部材１２ｂは、略板状部材であり、例えばＡＢＳ樹脂により形成される。取付部材１２ｂの一の主面には、取付部材１２ａの嵌合凸部及び嵌合凹部に対応するように、円柱状に突出した嵌合凸部及び円筒状に突出した嵌合凹部とが形成されている。また、取付部材１２ｂの一の主面に対向する主面には、爪部１２ｄが形成されている。爪部１２ｄは、板状部材の両端部を折り曲げられて形成されており、略直角に折り曲げられた一端部が取付部材１２ｂの主面に取り付けられ、当該一端部よりも内側に鋭角に折り曲げられた他端部が取付部材１３ｂと係合する爪として機能するように形成されている。
【００２５】
取付部材１２ａは、突出された嵌合凸部が本体ケース１０の開口部１０ｃに本体ケース１０の外側から挿入されて、本体ケース１０の凹部１０ｈに収容される。また、取付部材１２ｂは、突出された嵌合凸部及び嵌合凹部が本体ケース１０の開口部１０ｃに本体ケース１０の内側からそれぞれ挿入されて、取付部材１２ａの嵌合凹部及び嵌合凸部と互いにそれぞれ嵌め合わされる。これにより、取付部材１２ａは、本体ケース１０の側壁外側へ突起部１２ｃが突出されるように本体ケース１０の側壁に配置される。一方、取付部材１２ｂは、爪部１２ｄが本体ケース１０内部に収容されるように、本体ケース１０の側壁内側に配置される。このように、取付部材１２ａ，１２ｂは、本体ケース１０の側壁を内外から挟みこんで本体ケース１０に装着される。対向する位置に突出された２つの突起部１２ｃを押圧することで、本体ケース１０を軸線方向に直交する方向へ撓ませることができる。そして、本体ケース１０の撓みによって、爪部１２ｄを本体ケース１０の軸線方向に直交する方向（解除方向）に移動させることができる。
【００２６】
次に、ブラシ台１１の構成について詳細を説明する。図４は、図２のブラシ台１１の拡大斜視図、図５は、図１のヘアブラシ１のＶ−Ｖ断面図、図６は、図１のヘアブラシ１のＶＩ−ＶＩ断面図である。図４に示すように、本体ケース１０に取り付けられるブラシ台１１は、上面側が開放された箱体であり、ここでは、上面側が開放された中空の略楕円柱状を呈している。ブラシ台１１は、可撓性を有する材料からなり、ブラシ台１１の底部１１ｅ（ブラシ基板）が負荷により内側方向（上方向）に撓むように構成されている。例えば、ブラシ台１１は、エラストマにより形成される。また、図４〜６に示すように、ブラシ台１１の底部１１ｅの外面である外部底面（第１主面）１１ｇには、複数のブラシ１１ａが配置されている。ブラシ１１ａは、略円錐状又は略三角錐状を呈しており、異なる形状を有するブラシ１１ａが隣り合うように碁盤目状に配列されている。なお、略三角錐状を呈するブラシ１１ａは、２つを組み合わせて一対として外部底面１１ｇに配置される。すなわち、外部底面１１ｇには、略円錐状を呈するブラシ１１ａと、略三角錐状を呈するブラシ１１ａの一対とが、縦横方向に格子状に配置されている。このように、異なる形状を有するブラシ１１ａを格子状に配列させることで、泡を髪全体になじませることができるとともに、意匠的にも優れたブラシ面を形成することができる。
【００２７】
外部底面１１ｇの中央には、底部１１ｅに負荷を与えるための押圧用突起１１ｄが下側に突出して形成されている。押圧用突起１１ｄの高さＬ２は、ブラッシングする際の使用感を考慮してブラシ１１ａの高さＬ１よりも低く形成されている。また、ブラシ台１１の底部１１ｅには、貫通孔１１ｂが複数形成されている。貫通孔１１ｂは、それぞれのブラシ１１ａを囲むように碁盤目状に形成されている。
【００２８】
また、ブラシ台１１の側壁の外面には、凹部１１ｈが形成されており、当該凹部１１ｈには複数の開口部１１ｃが形成されている。凹部１１ｈは、軸線方向に直交する方向に沿って対向する位置に２つ形成されている。１つの凹部１１ｈに形成された開口部１１ｃには、図２に示す取付部材１３ａ，１３ｂが一対として取り付けられる。また、ブラシ台１１の側壁の内面は、本体ケース１０の連結凸部１０ｅに対応して階段状に形成されている。
【００２９】
ブラシ台１１に装着される取付部材１３ａ，１３ｂについて説明する。図２に示すように、取付部材１３ａは、略直方体であり、例えばＡＢＳ樹脂により形成される。取付部材１３ａは、ブラシ台１１に取り付けた際にブラシ台１１の側壁の外面と連続するように、ブラシ台１１の凹部１１ｈにあわせた大きさで形成されている。取付部材１３ａの一の側面には、円柱状に突出した嵌合凸部及び円筒状に突出した嵌合凹部が形成されている。一方、取付部材１３ｂは、略板状部材であり、例えばＡＢＳ樹脂により形成される。取付部材１３ｂの一の主面には、取付部材１３ａの嵌合凸部及び嵌合凹部に対応するように、円柱状に突出した嵌合凸部及び円筒状に突出した嵌合凹部とが形成されている。また、取付部材１３ｂの一の主面に対向する主面には、係止突起部１３ｃが形成されている。係止突起部１３ｃは、取付部材１２ｂの爪部１２ｄと係合可能に構成されている。
【００３０】
取付部材１３ａは、突出されたそれぞれの嵌合凸部及び嵌合凹部がブラシ台１１の開口部１１ｃにブラシ台１１の外側から挿入されて、ブラシ台１１の凹部１１ｈに収容される。また、取付部材１３ｂは、突出されたそれぞれの嵌合凸部及び嵌合凹部がブラシ台１１の開口部１１ｃにブラシ台１１の内側から挿入されて、取付部材１３ａの嵌合凹部及び嵌合凸部と互いにそれぞれ嵌め合わされる。これにより、取付部材１３ａは、図１に示すようにブラシ台１１の側壁に配置される。他方、取付部材１３ｂは、係止突起部１３ｃがブラシ台１１内部に収容されるように、ブラシ台１１の側壁内側に配置される。このように、取付部材１３ａ，１３ｂは、ブラシ台１１の側壁を内外から挟みこんでブラシ台１１に取り付けられる。
【００３１】
次に、ブラシ台１１と本体ケース１０との組み付けについて説明する。取付部材１３ａ，１３ｂが装着されたブラシ台１１は、取付部材１２ａ，１２ｂが装着された本体ケース１０に取り付けられる。ブラシ台１１を本体ケース１０に取り付ける場合には、図２に示すように、ブラシ台１１と本体ケース１０との間に泡立用スポンジ１４を配置し、ブラシ台１１の取付部材１３ｂの位置と本体ケース１０の取付部材１２ｂの位置とを合わせるようにブラシ台１１と本体ケース１０とを重ね合わせて、重ね合わせ方向に押圧する。これにより、図６に示すように、ブラシ台１１の階段状の側面内部が本体ケース１０の連結凸部１０ｅに突き当てられるとともに、爪部１２ｄが係止突起部１３ｃに引っ掛かり、ブラシ台１１が本体ケース１０に取り付けられる。一方、ブラシ台１１を本体ケース１０から取り外す場合には、本体ケース１０の側面の対向する位置に取り付けられた２つの突起部１２ｃを、本体ケース１０の軸線方向に直交する方向に押圧する。これにより、本体ケース１０が撓み、爪部１２ｄが本体ケース１０の軸線方向に直交する方向に移動し爪部１２ｄと係止突起部１３ｃとの係合が外れて、ブラシ台１１が本体ケース１０から取り外される。このように、ブラシ台１１は、取付部材１２ａ，１２ｂ，１３ａ，１３ｂによって本体ケース１０から着脱可能に構成されている。
【００３２】
次に、ヘアブラシ１の内部の泡立構造について詳細を説明する。図５，６に示すように、ブラシ台１１を本体ケース１０に取り付けることにより、本体ケース１０及びブラシ台１１の内部に空間が画成される。泡立用スポンジ１４は、当該空間に配置されることで、ヘアブラシ１の内部に収容される。ブラシ台１１の底部１１ｅは、当該空間を画成しており、ブラシ台１１の底部１１ｅに形成された貫通孔１１ｂは、当該空間に連通されている。このため、貫通孔１１ｂは、ヘアブラシ１内部に、石鹸水及び空気等を導入する導入孔として機能するとともに、ヘアブラシ１内部で生成された泡をヘアブラシ１外部へ吐出するための吐出孔として機能する。
【００３３】
最初に、本体ケース１０側の泡立構造について詳細を説明する。図３に示すように、本体ケース１０の上部の内面である内部上面１０ｄには、下方向に突出した泡立用の突起が複数配置されている。内部上面１０ｄの中央には、略円柱状の中央突起（第２突起）２１ｂが配置されている。中央突起２１ｂの周囲（端部側）には、当該中央突起２１ｂを円環状に囲むように、略角柱状の低突起（第４突起）２２ｂが複数配置されている。低突起２２ｂの周囲には、当該低突起２２ｂを円環状に囲むように、略角柱状の高突起（第６突起）２３ｂが複数配置されている。さらに、高突起２３ｂの周囲には、当該高突起２３ｂを円環状に囲むように、略角柱状の中突起２４ｂが複数配置されている。
【００３４】
中央突起２１ｂは、その下端部が低突起２２ｂの下端部よりも下に位置するように突出されている。すなわち、中央突起２１ｂの高さは、低突起２２ｂの高さよりも高くなるように形成されており、中央突起２１ｂの下端部が低突起２２ｂの下端部よりも泡立用スポンジ１４に近くなるように調整されている。また、高突起２３ｂは、その下端部が中央突起２１ｂの下端部及び中突起２４ｂの下端部よりも下に位置するように突出されている。すなわち、高突起２３ｂの高さは、中央突起２１ｂ及び中突起２４ｂの高さよりも高くなるように形成されており、高突起２３ｂの下端部が中央突起２１ｂ及び中突起２４ｂの下端部よりも泡立用スポンジ１４に近くなるように調整されている。
【００３５】
次に、ブラシ台１１側の泡立構造について詳細を説明する。図４に示すように、ブラシ台１１の底部１１ｅの内面である内部底面（第２主面）１１ｆには、上方向に突出した泡立用の突起が複数配置されている。内部底面１１ｆの中央には、略円柱状の中央突起（第１突起）２１ａが配置されている。すなわち、中央突起２１ａは、外部底面１１ｇに形成された押圧用突起１１ｄと対応する位置に設けられている。具体的には、中央突起２１ａは、底面垂直方向からみて中央突起２１ａの位置と押圧用突起１１ｄの位置とが重なるように配置される。
【００３６】
中央突起２１ａの周囲（端部側）には、当該中央突起２１ａを円環状に囲むように、略角柱状の低突起（第３突起）２２ａが複数配置されている。低突起２２ａの周囲には、当該低突起２２ａを円環状に囲むように、略角柱状の高突起（第５突起）２３ａが複数配置されている。さらに、高突起２３ａの周囲には、当該高突起２３ａを円環状に囲むように、略角柱状の中突起２４ａが複数配置されている。
【００３７】
図５，６に示すように、中央突起２１ａは、その上端部の位置が低突起２２ａの上端部位置と略同一となるように突出されている。すなわち、中央突起２１ａの高さは、低突起２２ａの高さと略同一となるように形成されている。また、高突起２３ａは、その端部が中央突起２１ａの端部及び中突起２４ａの端部よりも上に位置するように突出されている。すなわち、高突起２３ａの高さは、中央突起２１ａ及び中突起２４ａの高さよりも高くなるように形成されており、高突起２３ａの上端部が中央突起２１ａ及び中突起２４ａの上端部よりも泡立用スポンジ１４に近くなるように調整されている。
【００３８】
次に、本体ケース１０に配置された泡立用の突起と、ブラシ台１１に配置された泡立用の突起との関係について説明する。本体ケース１０の内部上面１０ｄに配置された中央突起２１ｂ、低突起２２ｂ、高突起２３ｂ及び中突起２４ｂは、ブラシ台１１の内部底面１１ｆに配置された中央突起２１ａ、低突起２２ａ、高突起２３ａ及び中突起２４ａのそれぞれと対向する位置に配置されている。具体的には、本体ケース１０の中央突起２１ｂと、ブラシ台１１の中央突起２１ａとは、底面垂直方向からみて重なる位置に配置されている。同様に、本体ケース１０の低突起２２ｂ、高突起２３ｂ及び中突起２４ｂと、ブラシ台１１の低突起２２ａ、高突起２３ａ及び中突起２４ａとは、底面垂直方向からみてそれぞれが重なる位置に配置されている。このように、ブラシ台１１の底部１１ｅが負荷により内側方向に撓んだ場合、対向する泡立用の突起同士が上下方向から泡立用スポンジを挟み込んで圧縮するように配置されている。
【００３９】
また、上述のように本体ケース１０及びブラシ台１１における泡立用の突起の高さが調整されることで、中央突起２１ａ，２１ｂ間の距離Ｌ３は、低突起２２ａ，２２ｂ間の距離Ｌ４と比べて短くされる。また、高突起２３ａ，２３ｂ間の距離Ｌ５は、中央突起２１ａ，２１ｂ間の距離Ｌ３、低突起２２ａ，２２ｂ間の距離Ｌ４と比べて短くされている。例えば、高突起２３ａ，２３ｂ間の距離Ｌ５は、泡立用スポンジ１４の厚さよりも短くされる。
【００４０】
次に、ヘアブラシ１の作用効果について、図５，７を用いて説明する。図７は、ヘアブラシ１の作用効果を説明するための概要図であり、図５に示すヘアブラシ１において押圧用突起１１ｄを内側へ押圧した状態を説明するものである。ヘアブラシ１の指挿入部１０ａに例えば人差指及び中指が挿入されて、本体ケース１０が把持され、親指によって押圧用突起１１ｄが内側へ繰り返し押圧される。なお、押圧用突起１１ｄを押圧する前に、貫通孔１１ｂを介して、石鹸水及び空気等がヘアブラシ１内部の空間へ導入され、導入された石鹸水及び空気等が泡立用スポンジ１４に吸収されているものとする。
【００４１】
図５に示すように、高突起２３ａ，２３ｂ間の距離Ｌ５は、中央突起２１ａ，２１ｂ間の距離Ｌ３、低突起２２ａ，２２ｂ間の距離Ｌ４と比べて短くされているので、中央突起２１ｂの端部と泡立用スポンジ１４との間、及び、低突起２２ｂの端部と泡立用スポンジ１４との間において、空間が画成される。よって、当該空間に石鹸水及び空気等を配置することができる。
【００４２】
また、距離Ｌ５は、他の突起間の距離に比べて短いので、図７に示すように、押圧用突起１１ｄが内側へ押圧され、ヘアブラシ１内の空間容積が減少されると、高突起２３ａ，２３ｂが他の突起よりも先に泡立用スポンジ１４を挟み込むように圧縮する。このため、高突起２３ａ，２３ｂにより挟まれた泡立用スポンジ１４の領域から周囲の他の領域へ石鹸水及び空気等が押し出され、押し出された石鹸水及び空気等が、中央突起２１ｂの端部と泡立用スポンジ１４との間の空間に配置された石鹸水及び空気等、低突起２２ｂの端部と泡立用スポンジ１４との間の空間に配置された石鹸水及び空気等、及び、泡立用スポンジ１４の圧縮された領域の周囲に含まれた石鹸水及び空気等と混ざり合い、良好な泡が生成される。そして、生成された泡が貫通孔１１ｂから吐出される。
【００４３】
また、高突起２３ａ，２３ｂにより泡立用スポンジ１４が圧縮されている状態で、押圧用突起１１ｄがさらに内側へ押圧された場合、底部１１ｅがさらに内側に撓んで、各突起間の距離Ｌ３〜Ｌ６が一層短くなる。ここで、高突起２３ａ，２３ｂは、他の突起よりも先に泡立用スポンジ１４を挟み込んで突き当たるため、底部１１ｅがそれ以上に撓んだ場合であっても、高突起２３ａが配置された位置よりも縁側の底部１１ｅについては、内側への撓みが抑制される。そして、中央突起２１ａ、低突起２２ａが配置された底部１１ｅの中央領域については、さらに内側へ押し込まれ、中央突起２１ａ，２１ｂが泡立用スポンジ１４を挟み込むように圧縮する。そして、中央突起２１ａ，２１ｂにより挟まれた泡立用スポンジ１４の領域から、石鹸水及び空気等が押し出されるとともに、押し出された石鹸水及び空気等が、低突起２２ｂの端部と泡立用スポンジ１４との間に配置された石鹸水及び空気等、及び泡立用スポンジ１４の圧縮された領域の周囲に含まれた石鹸水及び空気等と混ざり合い、良好な泡が生成される。また、さらに内側へ押し込まれた場合には、中央突起２１ａ，２１ｂが泡立用スポンジ１４を介して突き当たるとともに、低突起２２ａ，２２ｂにより挟まれた泡立用スポンジ１４の領域から泡が生成される。このように、中央突起２１ｂの端部と泡立用スポンジ１４との間、及び、低突起２２ｂの端部と泡立用スポンジ１４との間に配置された石鹸水及び空気等を用いて泡を生成することができるので、泡立ちに優れたヘアブラシ１とすることができる。また、各突起間の距離Ｌ３〜Ｌ６を変更することで、泡立用スポンジ１４の局所的な圧縮のタイミングを異なるものとすることができるので、混ぜ合わせの効果を一層高め、泡立ちに一層優れたヘアブラシ１とすることができる。
【００４４】
また、高突起２３ａ，２３ｂが泡立用スポンジ１４を挟み込んで突き当たった後は、距離Ｌ５，Ｌ６については、距離Ｌ３，Ｌ４に比べて短くなる量が抑制される。このように、底部１１ｅの縁側について撓みを抑制することで、押圧用突起１１ｄを押し込む際に底部１１ｅが過度に撓んでブラシ台１１が本体ケース１０から外れることを回避することができるとともに、洗髪時に底部１１ｅが過度に撓んでブラシの使用感を阻害することを回避することが可能となる。
【００４５】
以上、第１実施形態に係るヘアブラシ１によれば、複数の貫通孔１１ｂが形成された可撓性を有する底部１１ｅを備えるブラシ台１１が、本体ケース１０に取り付けられることで、ブラシ台１１と本体ケース１０との間に空間が画成される。そして、当該空間には、泡立用スポンジ１４が配置される。さらに、当該空間を画成する底部１１ｅの内部底面１１ｆ及び本体ケース１０には、泡立用突起が複数配置されている。このように構成することで、ヘアブラシ１内部の空間に、複数の貫通孔１１ｂを介して石鹸水及び空気等を流入させることができる。そして、負荷に応じて可撓性を有する底部１１ｅが撓むことにより、泡立用突起を泡立用スポンジ１４に押し当てながら空間容積を減少させて泡立用スポンジ１４を圧縮することが可能となる。よって、ヘアブラシ１内部において洗髪に適した量の泡を生成することができるとともに、生成された泡を貫通孔１１ｂから吐出させることが可能となる。また、本体ケース１０と底部１１ｅとの位置関係が大きく変化することがないので、泡立て機能と洗髪時におけるブラシの使用感とを簡易な構成で両立させることができる。
【００４６】
また、第１実施形態に係るヘアブラシ１によれば、底部１１ｅが撓んだ際に、泡立用突起同士が泡立用スポンジ１４を介して押し当てられるため、泡立用スポンジ１４を適切に圧縮することができる。よって、ヘアブラシ１内部において洗髪に適した量の泡を生成することができる。
【００４７】
また、第１実施形態に係るヘアブラシ１によれば、底部１１ｅの外部底面１１ｇに、泡立用突起を泡立用スポンジ１４に押し当てるのに必要な負荷を底部１１ｅに与えるための押圧用突起１１ｄが形成されているので、底部１１ｅに負荷を掛け易い構成とすることができる。また、押圧用突起１１ｄが、底部１１ｅの中央に配置され、ブラシ１１ａの高さよりも低く形成されることにより、押圧用突起１１ｄを設けても洗髪時に邪魔とならず、かつ、底部１１ｅの中央を押圧するように誘導することができる。底部１１ｅの中央を押圧させることにより、泡立用スポンジ１４に含まれる石鹸水及び空気等を空間内に均一に拡散させることができるので、泡立機能を一層高めることが可能となる。
【００４８】
また、第１実施形態に係るヘアブラシ１によれば、加えられた負荷によって、中央突起２１ａ，２１ｂで泡立用スポンジ１４を確実に挟み込んで圧縮することができるので、泡立機能を一層高めることが可能となる。
【００４９】
また、第１実施形態に係るヘアブラシ１によれば、低突起２２ｂの下端部は、中央突起２１ｂの下端部に比べて、泡立用スポンジ１４から離れた位置となる。このため、例えば、低突起２２ｂの端部と泡立用スポンジ１４との間に空間を画成して、当該空間に石鹸水及び空気等を配置することができる。また、底部１１ｅが撓んだ場合、低突起２２ａ，２２ｂによって挟まれる泡立用スポンジ１４部分は、中央突起２１ａ，２１ｂによって挟まれる泡立用スポンジ１４部分に比べて、圧縮により押し出す石鹸水及び空気等を少なくすることができる。このため、中央突起２１ａ，２１ｂによって挟まれる泡立用スポンジ１４部分の周囲の泡立用スポンジ１４部分には、石鹸水及び空気等を含ませて配置しておくことができる。すなわち底部１１ｅが撓んだ場合、中央突起２１ａ，２１ｂによって泡立用スポンジ１４部分が挟まれて当該部分から石鹸水及び空気等が押し出されるとともに、押し出した石鹸水及び空気等と、周りに配置された石鹸水及び空気等とを混ぜ合わせることができるので、泡立機能を一層高めることが可能となる。
【００５０】
また、第１実施形態に係るヘアブラシ１によれば、底部１１ｅが撓んだ際に、泡立用スポンジ１４を挟んで高突起２３ａ，２３ｂが押し当てられるので、高突起２３ａの配置位置よりも縁側の底部１１ｅの撓み量を所定以上とならないようにすることが可能となる。これによって、本体ケース１０や底部１１ｅの過度の撓みを抑制することができるので、ヘアブラシ１の使用感を向上させることが可能となる。
【００５１】
さらに、第１実施形態に係るヘアブラシ１によれば、ブラシ台１１は、本体ケース１０から着脱可能に取り付けられることで、例えば、泡立用スポンジ１４を取り出して、泡立用スポンジ１４又はヘアブラシ１内部を洗浄することができるので、衛生面からみて優れたヘアブラシ１を提供することができる。
【００５２】
（第２実施形態）
第２実施形態に係るヘアブラシは、第１実施形態に係るヘアブラシ１とほぼ同様に構成され、本体ケース及びブラシ台の泡立用突起の配置、及び、本体ケースとブラシ台との取付機構が相違する。よって、第２実施形態では第１実施形態との相違点を中心に説明し、重複する説明は省略する。
【００５３】
最初に、本実施形態に係るヘアブラシの構成を説明する。図８は、本実施形態に係るヘアブラシ２の分解斜視図である。図８に示すように、ヘアブラシ２は、略楕円柱状を呈しており、本体ケース１００と、複数のブラシ１１ａが下向きに配置されたブラシ台１１０と、泡立用スポンジ１４とを備えている。ブラシ台１１０は、取付部材１２０ａ，１２ｂ、１３０ａ，１３ｂによって本体ケース１００の下側に取り付けられており、泡立用スポンジ１４は、ヘアブラシ２の内部に配置されている。
【００５４】
本体ケース１００の構成について詳細を説明する。図９は、図８の本体ケース１００の底面側から見上げた斜視図である。図８，９に示すように、本体ケース１００は、第１実施形態の本体ケース１０とほぼ同様に構成されており、第１実施形態の本体ケース１０と比べて、本体ケース１００の側壁の外面に、取付部材が配置される凹部１０ｈが形成されておらず、凸部１００ｄが形成されている点、及び、当該側壁の端部に側壁に沿って開口された溝部１００ｅ、及び当該溝部１００ｅと側壁内側とを連通する開口部１００ｃとが形成されている点が相違する。凸部１００ｄは、軸線方向に直交する方向に沿って対向する位置に２つ形成されている。溝部１００ｅは、凸部１００ｄが形成された位置に対応する側壁端部に形成されている。開口部１００ｃには、図８に示す取付部材１２０ａ，１２ｂが一対として取り付けられる。
【００５５】
本体ケース１００に装着される取付部材１２０ａについて説明する。図８に示すように、取付部材１２０ａは、略板状部材であり、例えばＡＢＳ樹脂により形成される。取付部材１２０ａは、本体ケース１００の溝部１００ｅにあわせた大きさ及び形状で形成されている。取付部材１２０ａの一の側面には、取付部材１２ｂの嵌合凸部及び嵌合凹部に対応するように、貫通された嵌合孔及び円柱状に突出した嵌合凸部が形成されている。
【００５６】
取付部材１２０ａは、本体ケース１００の溝部１００ｅ内に配置され、突出された嵌合凸部が本体ケース１００の開口部１００ｃに挿入されて収容される。また、取付部材１２ｂは、突出された嵌合凸部及び嵌合凹部が本体ケース１００の開口部１０ｃに本体ケース１０の内側からそれぞれ挿入されて、取付部材１２０ａの嵌合孔及び嵌合凸部と互いに嵌め合わされる。これにより、取付部材１２０ａ，１２ｂは、本体ケース１００の側壁に配置される。このように、取付部材１２０ａ，１２ｂは、本体ケース１００の側壁の一部を挟みこんで本体ケース１００に装着される。対向する位置に突出された２つの凸部１００ｄを押圧することで、本体ケース１００を軸線方向に直交する方向に撓ませることができる。そして、本体ケース１００の撓みによって、爪部１２ｄを本体ケース１００の軸線方向に直交する方向（解除方向）に移動させることができる。
【００５７】
次に、ブラシ台１１０の構成について詳細を説明する。図１０は、図８のブラシ台１１０の斜視図、図１１は、ヘアブラシ２の横断面図、図１２は、ヘアブラシ２の縦断面図である。図１０に示すように、本体ケース１００に取り付けられるブラシ台１１０は、第１実施形態のブラシ台１１とほぼ同様に構成されており、第１実施形態のブラシ台１１と比べて、ブラシ台１１０の側壁の外面に、取付部材が配置される凹部１１ｈが形成されておらず、当該側壁の端部に側壁に沿って開口された溝部１１０ｅ、及び当該溝部１１０ｅと側壁内側とを連通する開口部１１０ｃとが形成されている点が相違する。開口部１１０ｃには、図８に示す取付部材１３０ａ，１３ｂが一対として取り付けられる。
【００５８】
ブラシ台１１０に装着される取付部材１３０ａについて説明する。図８に示すように、取付部材１３０ａは、略板状部材であり、例えばＡＢＳ樹脂により形成される。取付部材１３０ａは、ブラシ台１１０の溝部１１０ｅにあわせた大きさ及び形状で形成されている。取付部材１３０ａの一の側面には、取付部材１３ｂの嵌合凸部及び嵌合凹部に対応するように、貫通された嵌合孔及び円柱状に突出した嵌合凸部が形成されている。
【００５９】
取付部材１３０ａは、ブラシ台１１０の溝部１１０ｅ内に配置され、突出された嵌合凸部がブラシ台１１０の開口部１１０ｃに挿入されて収容される。また、取付部材１３ｂは、突出された嵌合凸部及び嵌合凹部がブラシ台１１０の開口部１１０ｃにブラシ台１１０の内側からそれぞれ挿入されて、取付部材１３０ａの嵌合孔及び嵌合凸部と互いに嵌め合わされる。これにより、取付部材１３０ａ，１３ｂは、ブラシ台１１０の側壁に配置される。このように、取付部材１３０ａ，１３ｂは、ブラシ台１１０の側壁の一部を挟みこんでブラシ台１１０に装着される。
【００６０】
また、ブラシ台１１の底部１１ｅに形成された貫通孔１１ｂは、第１実施形態の貫通孔１１ｂとほぼ同様に碁盤目状に形成され、第１実施形態のブラシ台１１と比べて、軸線方向に直交する方向において、中央突起２１ａ及び低突起２２ａを挟んで対向する位置には形成されていない点が相違する。
【００６１】
次に、ブラシ台１１０と本体ケース１００との組み付けについて説明する。第１実施形態の組み付けとほぼ同様であって、取付部材１３０ａ，１３ｂを装着したブラシ台１１０が、取付部材１２０ａ，１２ｂを装着した本体ケース１００に取り付けられる。ブラシ台１１０を本体ケース１００に取り付ける場合には、図８に示すように、ブラシ台１１０と本体ケース１００との間に泡立用スポンジ１４を配置し、ブラシ台１１０の取付部材１３ｂの位置と本体ケース１００の取付部材１２ｂの位置とを合わせるようにブラシ台１１０と本体ケース１００とを重ね合わせて、重ね合わせ方向に押圧する。これにより、図１１に示すように、ブラシ台１１０の階段状の側面内部が本体ケース１００の連結凸部１０ｅに突き当てられるとともに、爪部１２ｄが係止突起部１３ｃに引っ掛かり、ブラシ台１１０が本体ケース１００に取り付けられる。一方、ブラシ台１１０を本体ケース１００から取り外す場合には、本体ケース１００の側面の対向する位置に設けられた２つの凸部１００ｄを、本体ケース１００の軸線方向に直交する方向に押圧する。これにより、本体ケース１００が撓み、爪部１２ｄが本体ケース１００の軸線方向に直交する方向に移動し爪部１２ｄと係止突起部１３ｃとの係合が外れて、ブラシ台１１０が本体ケース１００から取り外される。このように、ブラシ台１１０は、取付部材１２０ａ，１２ｂ，１３０ａ，１３ｂによって本体ケース１００から着脱可能に構成されている。
【００６２】
次に、ヘアブラシ２の内部の泡立構造について詳細を説明する。図１１，１２に示すように、ブラシ台１１０を本体ケース１００に取り付けることにより、本体ケース１００及びブラシ台１１０の内部に空間が画成される。泡立用スポンジ１４は、当該空間に配置されることで、ヘアブラシ２の内部に収容される。ブラシ台１１０の底部１１ｅは、当該空間を画成しており、ブラシ台１１０の底部１１ｅに形成された貫通孔１１ｂは、当該空間に連通されている。このため、貫通孔１１ｂは、ヘアブラシ２内部に、石鹸水及び空気等を導入する導入孔として機能するとともに、ヘアブラシ２内部で生成された泡をヘアブラシ２外部へ吐出するための吐出孔として機能する。
【００６３】
最初に、本体ケース１００側の泡立構造について詳細を説明する。図９に示すように、本体ケース１００の泡立構造は、第１実施形態の本体ケース１０の泡立構造とほぼ同様に構成され、第１実施形態の本体ケース１０と比べて、軸線方向と直交する方向において、中央突起２１ａ及び低突起２２ａを挟んで対向する位置に設けられた高突起２３ａ、中突起２４ａが配置されておらず、替わりに略板状の凸部２５が形成されている点が相違する。
【００６４】
図１１，１２に示すように、中央突起２１ｂは、その下端部が低突起２２ｂの下端部よりも下に位置するように突出されている。すなわち、中央突起２１ｂの高さは、低突起２２ｂの高さよりも高くなるように形成されており、中央突起２１ｂの下端部が低突起２２ｂの下端部よりも泡立用スポンジ１４に近くなるように調整されている。また、高突起２３ｂは、その下端部が中央突起２１ｂ及び中突起２４ｂの下端部、及び凸部２５の下側の端面よりも下に位置するように突出されている。すなわち、高突起２３ｂの高さは、中央突起２１ｂ、中突起２４ｂ及び凸部２５の高さよりも高くなるように形成されており、高突起２３ｂの下端部が中央突起２１ｂ及び中突起２４ｂの下端部、及び凸部２５の下側の端面よりも泡立用スポンジ１４に近くなるように調整されている。凸部２５は、中央突起２１ｂ、低突起２２ｂの端部よりも下に位置するように突出されている。すなわち、凸部２５の高さは、中央突起２１ｂ及び低突起２２ｂの高さよりも高くなるように形成されており、凸部２５の下端面が中央突起２１ｂ及び低突起２２ｂの下端部よりも泡立用スポンジ１４に近くなるように調整されている。
【００６５】
次に、ブラシ台１１０側の泡立構造について詳細を説明する。図１０に示すように、ブラシ台１１０の泡立構造は、第１実施形態のブラシ台１１の泡立構造とほぼ同様に構成され、第１実施形態のブラシ台１１と比べて、軸線方向と直交する方向において、中央突起２１ａ及び低突起２２ａを挟んで対向する位置には、高突起２３ａ、中突起２４ａが配置されていない点が相違する。
【００６６】
次に、本体ケース１００に配置された泡立用の突起と、ブラシ台１１０に配置された泡立用の突起との関係について説明する。図１１，１２に示すように、第１実施形態の泡立用突起と同様に、本体ケース１００の内部上面１０ｄに配置された中央突起２１ｂ、低突起２２ｂ、高突起２３ｂ及び中突起２４ｂは、ブラシ台１１０の内部底面１１ｆに配置された中央突起２１ａ、低突起２２ａ、高突起２３ａ及び中突起２４ａのそれぞれと対向する位置に配置されている。また、本体ケース１００の内部上面１０ｄに配置された凸部２５は、貫通孔１１ｂ及び泡立用突起が配置されていない底部１１ｅと対向する位置に配置されている。
【００６７】
また、上述のように本体ケース１０及びブラシ台１１における泡立用の突起の高さが調整されることで、中央突起２１ａ，２１ｂ間の距離Ｌ３は、低突起２２ａ，２２ｂ間の距離Ｌ４と比べて短くされる。また、高突起２３ａ，２３ｂ間の距離Ｌ５は、中央突起２１ａ，２１ｂ間の距離Ｌ３、低突起２２ａ，２２ｂ間の距離Ｌ４と比べて短くされる。
【００６８】
次に、ヘアブラシ２の作用効果について説明する。高突起２３ａ，２３ｂ間の距離Ｌ５は、中央突起２１ａ，２１ｂ間の距離Ｌ３、低突起２２ａ，２２ｂ間の距離Ｌ４と比べて短くされているので、中央突起２１ｂの端部と泡立用スポンジ１４との間、及び、低突起２２ｂの端部と泡立用スポンジ１４との間において、空間が画成される。よって、当該空間に石鹸水及び空気等を配置することができる。
【００６９】
また、距離Ｌ５は、他の突起間の距離に比べて短いので、押圧用突起１１ｄが内側へ押圧されて、ヘアブラシ２内の空間容積が減少されると、高突起２３ａ，２３ｂが他の突起よりも先に泡立用スポンジ１４を挟み込むように圧縮する。このため、高突起２３ａ，２３ｂにより挟まれた泡立用スポンジ１４の領域から周囲の他の領域へ石鹸水及び空気等が押し出され、押し出された石鹸水及び空気等が、中央突起２１ｂの端部と泡立用スポンジ１４との間の空間に配置された石鹸水及び空気等、低突起２２ｂの端部と泡立用スポンジ１４との間の空間に配置された石鹸水及び空気等、及び、泡立用スポンジ１４の圧縮された領域の周囲に含まれた石鹸水及び空気等と混ざり合い、良好な泡が生成される。そして、生成された泡が貫通孔１１ｂから吐出される。
【００７０】
また、高突起２３ａ，２３ｂにより泡立用スポンジ１４が圧縮されている状態で、押圧用突起１１ｄがさらに内側へ押圧された場合、底部１１ｅがさらに内側に撓んで、各突起間の距離Ｌ３〜Ｌ６が短くなる。ここで、高突起２３ａ，２３ｂは、他の突起よりも先に泡立用スポンジ１４を挟み込んで突き当たるため、底部１１ｅがそれ以上に撓んだ場合であっても、高突起２３ａが配置された位置よりも縁側の底部１１ｅについては、内側への撓みが抑制される。そして、中央突起２１ａ、低突起２２ａが配置された底部１１ｅの中央領域については、さらに内側へ押し込まれ、中央突起２１ａ，２１ｂが泡立用スポンジ１４を挟み込むように圧縮する。そして、中央突起２１ａ，２１ｂにより挟まれた泡立用スポンジ１４の領域から、石鹸水及び空気等が押し出されるとともに、押し出された石鹸水及び空気等が、低突起２２ｂの端部と泡立用スポンジ１４との間に配置された石鹸水及び空気等、及び泡立用スポンジ１４の圧縮された領域の周囲に含まれた石鹸水及び空気等と混ざり合い、良好な泡が生成される。また、さらに内側へ押し込まれた場合には、中央突起２１ａ，２１ｂが泡立用スポンジ１４を介して突き当たるとともに、低突起２２ａ，２２ｂにより挟まれた泡立用スポンジ１４の領域から泡が生成される。このように、中央突起２１ｂの端部と泡立用スポンジ１４との間、及び、低突起２２ｂの端部と泡立用スポンジ１４との間に配置された石鹸水及び空気等を用いて泡を生成することができるので、泡立ちに優れたヘアブラシ２とすることができる。また、凸部２５と底部１１ｅとに挟まれた空間からは、生成された泡が貫通孔１１ｂを介して直接吐出されることがないため、ヘアブラシ２内部に石鹸水及び空気等の内部保持期間を長くすることができる。このため、泡立効果を一層高めることが可能となる。さらに、各突起間の距離Ｌ３〜Ｌ６を変更することで、泡立用スポンジ１４の局所的な圧縮のタイミングを異なるものとすることができるので、混ぜ合わせの効果を一層高め、泡立ちに一層優れたヘアブラシ２とすることができる。
【００７１】
また、高突起２３ａ，２３ｂが泡立用スポンジ１４を挟み込んで突き当たった後は、距離Ｌ５，Ｌ６については、距離Ｌ３，Ｌ４に比べて短くなる量が抑制される。このように、底部１１ｅの外周に近い箇所について撓みを抑制することで、押圧用突起１１ｄを押し込む際に底部１１ｅが過度に撓んでブラシ台１１が本体ケース１０から外れることを回避することができるとともに、洗髪時に底部１１ｅが過度に撓んでブラシの使用感を阻害することを回避することが可能となる。
【００７２】
以上、第２実施形態に係るヘアブラシ２によれば、第１実施形態に係るヘアブラシ１と同様の作用効果を奏するとともに、内部に石鹸水及び空気等の保持する期間を長くすることができるので、泡立効果を一層高めることが可能となる。さらに、取付部材を外側から視認することができないようにヘアブラシ２内部に配置しているため、デザイン性に優れたヘアブラシとすることができる。
【００７３】
（第３実施形態）
第３実施形態に係るヘアブラシは、第１実施形態に係るヘアブラシ１とほぼ同様に構成され、本体ケース及びブラシ台の泡立用突起の高さ、本体ケースとブラシ台との取付機構、及び、ブラシ台の構成が相違する。よって、第３実施形態では第１実施形態との相違点を中心に説明し、重複する説明は省略する。
【００７４】
本実施形態に係るヘアブラシの構成について、図を用いて説明する。図１３は、本実施形態に係るヘアブラシの斜視図、図１４は、図１３のヘアブラシ３の分解斜視図である。図１３，１４に示すように、ヘアブラシ３は、略楕円柱状を呈しており、本体ケース１０１と、複数のブラシ１１ａが下向きに配置されたブラシ台１１１と、泡立用スポンジ１４とを備えている。ブラシ台１１１は、取付部材１２１ａ，１３１ａ，１３１ｂによって本体ケース１０１の下側に取り付けられており、泡立用スポンジ１４は、ヘアブラシ３の内部に配置されている。
【００７５】
本体ケース１０１の構成について詳細を説明する。本体ケース１０１は、第１実施形態の本体ケース１０とほぼ同様に構成されており、第１実施形態の本体ケース１０と比べて、多くの掛止突起１０ｂが形成されている点、及び、指抜けを防止するためにアーチ状の指挿入部１０ａの指挿入口に周方向内側に突出した係止突起が形成されている点が相違する。なお、上述した掛止突起１０ｂ及び係止突起は必要に応じて形成すればよい。
【００７６】
図１５は、図１３の本体ケース１０１の底面側から見上げた斜視図である。図１４，１５に示すように、本体ケース１０１の側壁には、切欠部１０１ｃが形成されている。切欠部１０１ｃは、軸線方向に直交する方向に沿って対向する位置に２つ形成されている。また、本体ケース１０１の上部の内面である内部上面１０ｄには、切欠部１０１ｃに対応する位置に、嵌合部１０１ｄ及び板部材１０１ｅが外側方向から順に並設されている。嵌合部１０１ｄは、筒状の略角柱体であって、その内部に取付部材１２１ａの端部を収容することで装着可能に構成されている。また、板部材１０１ｅは、内部上面１０ｄに立設された板状の部材であって、ヘアブラシ３内部に収容する泡立用スポンジ１４の配置位置を規定するために設けられている。
【００７７】
本体ケース１０１に装着される取付部材１２１ａについて説明する。図１４に示すように、取付部材１２１ａは、略角柱体であって、例えばＡＢＳ樹脂により形成される。取付部材１２１ａは、一端部が本体ケース１０１の嵌合部１０１ｄ内部にあわせた大きさ及び形状で形成されている。また、取付部材１２１ａの主面には、鍔部１２１ｂが立設されるとともに、凹形状の係止部１２１ｃが形成されている。係止部１２１ｃは、取付部材１３１ｂと係合可能に構成されている。
【００７８】
取付部材１２１ａは、一端部が本体ケース１０１の嵌合部１０１ｄに圧入され、鍔部１２１ｂが嵌合部１０１ｄの端部と突き当てられて本体ケース１０１に圧着される。これにより、取付部材１２１ａは、本体ケース１０１の内部に配置される。
【００７９】
次に、ブラシ台１１１の構成について詳細を説明する。図１６は、図１４のブラシ台１１１の拡大斜視図、図１７は、図１３のヘアブラシ３のＸＶＩＩ-ＸＶＩＩ断面図、図１８は、図１３のヘアブラシ３のＸＶＩＩＩ-ＸＶＩＩＩ断面図である。図１６〜１８に示すように、本体ケース１０１に取り付けられるブラシ台１１１は、略楕円板状のブラシ基板１１ｅを備えており、可撓性を有する材料から形成される。例えば、ブラシ台１１１は、エラストマにより形成される。
【００８０】
ブラシ基板１１ｅの外面（第１主面）１１ｇには、第１実施形態のブラシ台１１と同様に、複数のブラシ１１ａが配置され、外面１１ｇの中央には、ブラシ基板１１ｅに負荷を与えるための押圧用突起１１ｄが下側に突出して形成されている。押圧用突起１１ｄの高さＬ２は、ブラッシングする際の使用感を考慮してブラシ１１ａの高さＬ１よりも低く形成されている。また、ブラシ基板１１ｅには、貫通孔１１ｂが複数形成されている。貫通孔１１ｂは、それぞれのブラシ１１ａを囲むように碁盤目状に形成されている。
【００８１】
また、ブラシ基板１１ｅの内面（第２主面）１１ｇには、周縁側に立設された環状突起１１ｉが形成されている。環状突起１１ｉには、ブラシ基板１１ｅの軸線方向に直交する方向に沿って対向する位置に凹部１１ｈが２つ形成されている。また、当該凹部１１ｈには複数の開口部１１ｃが形成されている。１つの凹部１１ｈに形成された開口部１１ｃには、図１４に示す取付部材１３１ａ，１３１ｂが一対として取り付けられる。
【００８２】
ブラシ台１１１に装着される取付部材１３１ａ，１３１ｂについて説明する。図１４に示すように、取付部材１３１ａは、略箱体であり、例えばＡＢＳ樹脂により形成される。取付部材１３１ａは、ブラシ台１１１に取り付けた際にブラシ台１１１の側壁の外面と連続するように、ブラシ台１１１の凹部１１ｈにあわせた大きさで形成されている。取付部材１３１ａの底面の外側には、突起部１３１ｃが形成されている。また、取付部材１３１ａの底面の内側には、円筒状に突出した嵌合凹部が形成されている。さらに、取付部材１３１ａの対向する両側面には、取付部材１３１ｂを取り付けるための開口が形成されている。一方、取付部材１３１ｂは、略板状部材であり、例えばＡＢＳ樹脂により形成される。取付部材１３１ｂの一の主面には、取付部材１３１ａの嵌合凹部に対応するように、円柱状に突出した嵌合凸部が形成されている。また、当該主面には、立設された板部材の一端部を外方向に向けて折り曲げた爪部が、取付部材１３１ａの側面の開口に対応するように２つ形成されている。さらに、取付部材１３１ａの側方には、一端部を折り曲げた板状の爪部１３１ｄが取り付けられている。爪部１３１ｄは、取付部材１２１ａの係止部１２１ｃと係合可能に構成されている。
【００８３】
取付部材１３１ａは、突出された嵌合凹部がブラシ台１１１の開口部１１ｃにブラシ台１１１の外側から挿入されて、ブラシ台１１１の凹部１１ｈに収容される。また、取付部材１３１ｂは、突出された嵌合凸部及び爪部がブラシ台１１１の開口部１１ｃにブラシ台１１１の内側から挿入されて、取付部材１３１ａの嵌合凹部及び開口に互いにそれぞれ嵌め合わされる。このように、取付部材１３ａ，１３ｂは、ブラシ台１１１の環状突起１１ｉを内外から挟みこんでブラシ台１１１に取り付けられる。そして、対向する位置に突出された２つの突起部１３１ｃを押圧することで、ブラシ台１１１を軸線方向に直交する方向へ撓ませることができる。そして、ブラシ台１１１の撓みによって、爪部１３１ｄをブラシ台１１１の軸線方向に直交する方向（解除方向）に移動させることができる。
【００８４】
次に、ブラシ台１１１と本体ケース１０１との組み付けについて説明する。第１実施形態の組み付けとほぼ同様であって、取付部材１３１ａ，１３１ｂを装着したブラシ台１１１が、取付部材１２１ａを装着した本体ケース１０１に取り付けられる。ブラシ台１１１を本体ケース１０１に取り付ける場合には、図１４に示すように、ブラシ台１１１と本体ケース１０１との間に泡立用スポンジ１４を配置し、ブラシ台１１１の取付部材１３１ｂの位置と本体ケース１０１の取付部材１２１ａの位置とを合わせるようにブラシ台１１１と本体ケース１０１とを重ね合わせて、重ね合わせ方向に押圧する。これにより、図１３に示すように、ブラシ基板１１ｅに形成された環状突起１１ｉがヘアブラシ３内部に収容されるとともに、本体ケース１０１の切欠部１０１ｃに取付部材１３１ａを配置するように組み付けることができる。そして、図１８に示すように、爪部１３１ｄが係止部１２１ｃに引っ掛かり、ブラシ台１１１が本体ケース１０１に取り付けられる。一方、ブラシ台１１１を本体ケース１０１から取り外す場合には、ブラシ台１１１の側面に対向する位置に取り付けられた２つの突起部１３１ｃを、ブラシ台１１１の軸線方向に直交する方向に押圧する。これにより、ブラシ台１１１が撓み、爪部１３１ｄがブラシ台１１１の軸線方向に直交する方向に移動し爪部１３１ｄと係止部１２１ｃとの係合が外れて、ブラシ台１１１が本体ケース１０１から取り外される。このように、ブラシ台１１１は、取付部材１２１ａ，１３１ａ，１３１ｂによって本体ケース１０１から着脱可能に構成されている。
【００８５】
次に、ヘアブラシ３の内部の泡立構造について詳細を説明する。図１７，１８に示すように、ブラシ台１１１を本体ケース１０１に取り付けることにより、本体ケース１０１及びブラシ台１１１の内部に空間が画成される。泡立用スポンジ１４は、当該空間に配置されることで、ヘアブラシ３の内部に収容される。ブラシ台１１１のブラシ基板１１ｅは、当該空間を画成しており、ブラシ台１１１のブラシ基板１１ｅに形成された貫通孔１１ｂは、当該空間に連通されている。このため、貫通孔１１ｂは、ヘアブラシ３内部に、石鹸水及び空気等を導入する導入孔として機能するとともに、ヘアブラシ３内部で生成された泡をヘアブラシ３外部へ吐出するための吐出孔として機能する。
【００８６】
最初に、本体ケース１０１の泡立構造について詳細を説明する。図１５，１７，１８に示すように、本体ケース１０１の泡立構造は、第１実施形態の本体ケース１０の泡立構造とほぼ同様に構成されており、中央突起２１ｂの下端部の位置が、低突起２２ｂの下端部の位置と同程度となるように突出されている点が相違する。すなわち、本体ケース１０１において、中央突起２１ｂの高さが、低突起２２ｂの高さと同程度となるように形成されている点が相違する。
【００８７】
次に、ブラシ台１１１の泡立構造について詳細を説明する。図１６，１７，１８に示すように、ブラシ台１１１の泡立構造は、第１実施形態のブラシ台１１の泡立構造と同様に構成されている。
【００８８】
本体ケース１０１に配置された泡立用の突起と、ブラシ台１１１に配置された泡立用の突起との関係については、第１実施形態と同様の関係を有しており、各泡立用突起が泡立用スポンジ１４を介在させた状態で対向する位置に配置されている。
【００８９】
上述のように本体ケース１０１及びブラシ台１１１における泡立用の突起の高さが調整されることで、中央突起２１ａ，２１ｂ間の距離Ｌ３は、低突起２２ａ，２２ｂ間の距離Ｌ４と同様とされる。一方、高突起２３ａ，２３ｂ間の距離Ｌ５は、中央突起２１ａ，２１ｂ間の距離Ｌ３、低突起２２ａ，２２ｂ間の距離Ｌ４と比べて短くされる。例えば、高突起２３ａ，２３ｂ間の距離Ｌ５は、泡立用スポンジ１４の厚さよりも短くされる。
【００９０】
次に、ヘアブラシ３の作用効果について説明する。高突起２３ａ，２３ｂ間の距離Ｌ５は、中央突起２１ａ，２１ｂ間の距離Ｌ３、低突起２２ａ，２２ｂ間の距離Ｌ４と比べて短くされているので、中央突起２１ｂの端部と泡立用スポンジ１４との間、及び、低突起２２ｂの端部と泡立用スポンジ１４との間において、空間を設けることができる。よって、当該空間に石鹸水及び空気等を配置することができる。
【００９１】
また、距離Ｌ５は、他の突起間の距離に比べて短いので、押圧用突起１１ｄが内側へ押圧されて、ヘアブラシ２内の空間容積が減少されると、高突起２３ａ，２３ｂが他の突起よりも先に泡立用スポンジ１４を挟み込むように圧縮する。このため、高突起２３ａ，２３ｂにより挟まれた泡立用スポンジ１４の領域から周囲の他の領域へ石鹸水及び空気等が押し出され、押し出された石鹸水及び空気等が、中央突起２１ｂの端部と泡立用スポンジ１４との間の空間に配置された石鹸水及び空気等、低突起２２ｂの端部と泡立用スポンジ１４との間の空間に配置された石鹸水及び空気等、及び、泡立用スポンジ１４の圧縮された領域の周囲に含まれた石鹸水及び空気等と混ざり合い、良好な泡が生成される。そして、生成された泡が貫通孔１１ｂから吐出される。
【００９２】
また、高突起２３ａ，２３ｂにより泡立用スポンジ１４が圧縮されている状態で、押圧用突起１１ｄがさらに内側へ押圧された場合、ブラシ基板１１ｅがさらに内側に撓んで、各突起間の距離Ｌ３〜Ｌ６が短くなる。ここで、高突起２３ａ，２３ｂは、他の突起よりも先に泡立用スポンジ１４を挟み込んで突き当たるため、ブラシ基板１１ｅがそれ以上に撓んだ場合であっても、高突起２３ａが配置された位置よりも縁側のブラシ基板１１ｅについては、内側への撓みが抑制される。そして、中央突起２１ａ、低突起２２ａが配置されたブラシ基板１１ｅの中央領域については、さらに内側へ押し込まれ、中央突起２１ａ，２１ｂ及び低突起２２ａ，２２ｂが、泡立用スポンジ１４を挟み込むように圧縮する。そして、中央突起２１ａ，２１ｂ及び低突起２２ａ，２２ｂにより挟まれた泡立用スポンジ１４の領域から、石鹸水及び空気等が押し出されるとともに、押し出された石鹸水及び空気等が、中央突起２１ｂの端部と泡立用スポンジ１４との間に配置された石鹸水及び空気等、及び低突起２２ｂの端部と泡立用スポンジ１４との間に配置された石鹸水及び空気等と混ざり合い、良好な泡が生成される。このように、中央突起２１ｂの端部と泡立用スポンジ１４との間、及び、低突起２２ｂの端部と泡立用スポンジ１４との間に配置された石鹸水及び空気等を用いて泡を生成することができるので、泡立ちに優れたヘアブラシ３とすることができる。また、各突起間の距離Ｌ３〜Ｌ６を変更することで、泡立用スポンジ１４の局所的な圧縮のタイミングを異なるものとすることができるので、混ぜ合わせの効果を一層高め、泡立ちに一層優れたヘアブラシ３とすることができる。
【００９３】
また、高突起２３ａ，２３ｂが泡立用スポンジ１４を挟み込んで突き当たった後は、距離Ｌ５，Ｌ６については、距離Ｌ３，Ｌ４に比べて短くなる量が抑制される。このように、ブラシ基板１１ｅの外周に近い箇所について撓みを抑制することで、押圧用突起１１ｄを押し込む際にブラシ基板１１ｅが過度に撓んでブラシ台１１１が本体ケース１０１から外れることを回避することができるとともに、洗髪時にブラシ基板１１ｅが過度に撓んでブラシの使用感を阻害することを回避することが可能となる。
【００９４】
上述のように、第３実施形態に係るヘアブラシ３によれば、第１実施形態に係るヘアブラシ１と同様の作用効果を奏するとともに、取付部材の部品点数を少なくすることができるので、軽量化及び低コスト化を図ることが可能となる。また、ブラシ台１１１は、その周縁側に立設された環状突起１１ｉを、本体ケース１０１の側壁内側に配置されるように、本体ケース１０１に組み付けることができるので、ヘアブラシ３の厚さを薄くすることが可能となる。よって、ヘアブラシ３の小型化を図ることができる。
【００９５】
（第４実施形態）
第４実施形態に係るヘアブラシは、第３実施形態に係るヘアブラシ３とほぼ同様に構成され、ヘアブラシの内部に板部材を備える点が相違する。よって、第４実施形態では第３実施形態との相違点を中心に説明し、重複する説明は省略する。
【００９６】
本実施形態に係るヘアブラシの構成について、図を用いて説明する。図１９は、本実施形態に係るヘアブラシ４の分解斜視図、図２０は、板部材１５の平面図である。図１９に示すように、第４実施形態に係るヘアブラシ４は、第３実施形態に係るヘアブラシ３とほぼ同様に構成されており、ブラシ台１１１の底部（ブラシ基板）１１ｅと泡立用スポンジ１４との間に板部材１５が配置されている点が相違する。図１９，２０に示すように、板部材１５は、略矩形板状を呈し、対向する主面を貫通する貫通孔１５ａが複数形成されている。例えば、貫通孔１５ａは、碁盤目状に配列されている。この板部材１５は、ブラシ基板１１ｅよりも撓み難く構成されている。例えば、板部材１５は、ブラシ基板１１ｅの材料よりも硬い材料を用いて形成されている。
【００９７】
ブラシ台１１１と本体ケース１０１との組み付けについては、第３実施形態と同様である。また、ヘアブラシ４の内部の泡立構造については、第３実施形態とほぼ同様であり、板部材１５が、本体ケース１０１及びブラシ台１１１の内部に画成された空間に配置される点が相違する。また、本体ケース１０１の泡立構造、ブラシ台１１１の泡立構造は、第３実施形態と同様である。
【００９８】
次に、ヘアブラシ４の作用効果について、図２１を用いて説明する。図２１は、ヘアブラシ４の作用効果を説明するための概要図であり、へアブラシ４の押圧用突起１１ｄを内側へ押圧した状態を説明するものである。ヘアブラシ４の指挿入部１０ａに、例えば人差指及び中指が挿入されて、本体ケース１０１が把持され、親指によって押圧用突起１１ｄが内側へ繰り返し押圧される。なお、押圧用突起１１ｄを押圧する前に、貫通孔１１ｂを介して、石鹸水及び空気等がヘアブラシ４内部の空間へ導入され、導入された石鹸水及び空気等が泡立用スポンジ１４に吸収されているものとする。
【００９９】
図２１に示すように、押圧用突起１１ｄが押圧されると、ブラシ基板１１ｅがヘアブラシ４の内側に向かって撓み、板部材１５に負荷が加わる。ここで、板部材１５は、ブラシ基板１１ｅよりも撓みにくいため、負荷が加わっても大きく変形することなく泡立用スポンジ１４に押し当てられる。このため、泡立用スポンジ１４が広範囲にわたって圧縮されるので、一度の押しこみで多量の泡を生成することができる。また、板部材１５が泡立用スポンジ１４に押し当てられると、板部材１５の縁側のみならず、板部材１５に形成された貫通孔１５ａから泡立用スポンジ１４で生成された泡がブラシ基板側に吐出される。このように、板部材１５に貫通孔１５ａを形成することで、板部材自身が泡立用スポンジ１４で生成された泡の行き場を塞いだり、板部材自身がブラシ基板１１ｅ側への吐出を妨げることを回避することができる。よって、泡立用スポンジ１４で生成された多量の泡をヘアブラシ４外部へ吐出することが可能となる。
【０１００】
また、高突起２３ａ，２３ｂ間の距離Ｌ５は、中央突起２１ａ，２１ｂ間の距離Ｌ３、低突起２２ａ，２２ｂ間の距離Ｌ４と比べて短くされているので、中央突起２１ｂの端部と泡立用スポンジ１４との間、及び、低突起２２ｂの端部と泡立用スポンジ１４との間において、空間を設けることができる。よって、当該空間に石鹸水及び空気等を配置することができる。
【０１０１】
また、距離Ｌ５は、他の突起間の距離に比べて短いので、押圧用突起１１ｄが内側へ押圧されて、ヘアブラシ２内の空間容積が減少されると、高突起２３ａ，２３ｂが他の突起よりも先に泡立用スポンジ１４及び板部材１５を挟み込むように圧縮する。このため、高突起２３ａ，２３ｂにより挟まれた泡立用スポンジ１４の領域から周囲の他の領域へ石鹸水及び空気等が押し出され、押し出された石鹸水及び空気等が、中央突起２１ｂの端部と泡立用スポンジ１４との間の空間に配置された石鹸水及び空気等、低突起２２ｂの端部と泡立用スポンジ１４との間の空間に配置された石鹸水及び空気等、及び、泡立用スポンジ１４の圧縮された領域の周囲に含まれた石鹸水及び空気等と混ざり合い、良好な泡が生成される。そして、生成された泡が貫通孔１１ｂから吐出される。
【０１０２】
また、高突起２３ａ，２３ｂにより泡立用スポンジ１４が圧縮されている状態で、押圧用突起１１ｄがさらに内側へ押圧された場合、ブラシ基板１１ｅがさらに内側に撓んで、各突起間の距離Ｌ３〜Ｌ６が短くなる。ここで、高突起２３ａ，２３ｂは、他の突起よりも先に泡立用スポンジ１４及び板部材１５を挟み込んで突き当たるため、ブラシ基板１１ｅがそれ以上に撓んだ場合であっても、高突起２３ａが配置された位置よりも縁側のブラシ基板１１ｅについては、内側への撓みが抑制される。そして、中央突起２１ａ、低突起２２ａが配置されたブラシ基板１１ｅの中央領域については、さらに内側へ押し込まれ、中央突起２１ａ，２１ｂ及び低突起２２ａ，２２ｂが、泡立用スポンジ１４及び板部材１５を挟み込むように圧縮する。そして、中央突起２１ａ，２１ｂ及び低突起２２ａ，２２ｂにより挟まれた泡立用スポンジ１４の領域から、石鹸水及び空気等が押し出されるとともに、押し出された石鹸水及び空気等が、中央突起２１ｂの端部と泡立用スポンジ１４との間に配置された石鹸水及び空気等、及び低突起２２ｂの端部と泡立用スポンジ１４との間に配置された石鹸水及び空気等と混ざり合い、良好な泡が生成される。このように、中央突起２１ｂの端部と泡立用スポンジ１４との間、及び、低突起２２ｂの端部と泡立用スポンジ１４との間に配置された石鹸水及び空気等を用いて泡を生成することができるので、泡立ちに優れたヘアブラシ４とすることができる。
【０１０３】
また、高突起２３ａ，２３ｂが泡立用スポンジ１４及び板部材１５を挟み込んで突き当たった後は、距離Ｌ５，Ｌ６については、距離Ｌ３，Ｌ４に比べて短くなる量が抑制される。このように、ブラシ基板１１ｅの外周に近い箇所について撓みを抑制することで、押圧用突起１１ｄを押し込む際にブラシ基板１１ｅが過度に撓んでブラシ台１１１が本体ケース１０１から外れることを回避することができるとともに、洗髪時にブラシ基板１１ｅが過度に撓んでブラシの使用感を阻害することを回避することが可能となる。
【０１０４】
上述のように、第４実施形態に係るヘアブラシ４によれば、第３実施形態に係るヘアブラシ３と同様の作用効果を奏するとともに、泡立用スポンジ１４全体に負荷を加えることができるので、泡立用スポンジ１４を広範囲で圧縮することが可能となるとともに、泡立用の突起を泡立用スポンジ１４に好適に押し当てることができる。さらに、泡立用スポンジ１４の泡が板部材１５に遮られることを回避することができるので、泡立用スポンジ１４の泡を好適にヘアブラシ４外部へ吐出することが可能となる。
【０１０５】
以上、本発明の好適な実施形態について具体的に説明したが、上記各実施形態は本発明に係るヘアブラシの一例を示すものであり、本発明に係るヘアブラシは、上記各実施形態に係るヘアブラシに限られるものではない。
【０１０６】
例えば、１，２実施形態では、本体ケース１０，１００及びブラシ台１１，１１０が中空の略楕円柱状を呈する旨を説明したが、楕円柱に限られず、どのような形態であってもよい。また、本体ケース１０，１００及びブラシ台１１，１１０の一方が箱体で構成され、他方が板状に形成されていてもよい。さらに、上記実施形態において、本体ケース１０，１００，１１０は、指挿入部１０ａや泡立用突起等と一体成形されていてもよい。また、ブラシ台１１，１１０，１１１は、ブラシ１１ｂ、泡立用突起、押圧用突起１１ｄ等と一体成形されていてもよい。
【０１０７】
また、上記実施形態では、ブラシ台１１，１１０，１１１、及び本体ケース１０，１００，１１０の何れにも泡立用突起が配置される例を説明したが、ブラシ台１１，１１０，１１１、及び本体ケース１０，１００，１１０のうち何れか一方に泡立用突起が配置されていてもよい。
【０１０８】
また、上記実施形態では、ブラシ台１１，１１０，１１１に設けられた泡立用突起の全てが本体ケース１０，１００，１１０に設けられた泡立用突起と対向する場合を説明したが、ブラシ台１１，１１０，１１１に設けられた泡立用突起の一部が本体ケース１０，１００，１１０に設けられた泡立用突起と対向する場合であってもよい。
【０１０９】
また、上記実施形態では、本体ケース１０，１００，１１０及びブラシ台１１，１１０，１１１に低突起２２ａ，２２ｂ及び中突起２４ａ，２４ｂを設ける例を説明したが、必要に応じて低突起２２ａ，２２ｂ及び中突起２４ａ，２４ｂを設けなくても良い。
【０１１０】
また、上記実施形態では、ブラシ台１１，１１０，１１１が可撓性を有する例を説明したが、ブラシ台１１，１１０，１１１のうちブラシ基板１１ｅのみが可撓性を有する場合であってもよい。
【０１１１】
また、上記第４実施形態では、ブラシ基板１１と板部材１５とを分離可能に構成した例を説明したが、装着部材、連結部材等を用いたり、嵌め合わせたりすることでブラシ基板１１と板部材１５とを一体的にしてもよい。
【０１１２】
また、上記第４実施形態では、第３実施形態のヘアブラシ３内部に板部材１５を収容する場合を説明したが、第１実施形態のヘアブラシ１、第２実施形態のヘアブラシ２に板部材１５を収容してもよい。
【０１１３】
さらに、上記第４実施形態では、板部材１５に矩形の貫通孔１５ａが形成される例を説明したが、貫通孔１５ａの形状はこれに限られるものではなく、円形等であってもよい。また、板部材１５は上記第４実施形態に説明したものに限られるものではなく、例えば、図２２（ａ）に示すように、貫通溝１５１ａが形成された板部材１５１であってもよいし、貫通部１５２ａを有する網状の板部材１５２であってもよい。要は、板部材を貫通する貫通部が板部材に形成されていればよく、請求項に記載の貫通孔は、これらの態様も含むものである。
【符号の説明】
【０１１４】
１（２，３，４）…ヘアブラシ、１０（１００，１１０）…本体ケース、１１（１１０，１１１）…ブラシ台、１１ａ…ブラシ、１１ｂ…貫通孔、１１ｄ…押圧用突起、１１ｅ…底部（ブラシ基板）、１１ｆ…内部底面（第２主面）、１１ｇ…外部底面（第１主面）、１４…泡立用スポンジ、１５（１５１，１５２）…板部材、２１ａ…中央突起（第１突起）、２１ｂ…中央突起（第２突起）、２２ａ…低突起（第３突起），２２ｂ…低突起（第４突起）、２３ａ…高突起（第５突起）、２３ｂ…高突起（第６突起）。
【図１】
2011104330.tif 000003
【図２】
2011104330.tif 000004
【図３】
2011104330.tif 000005
【図４】
2011104330.tif 000006
【図５】
2011104330.tif 000007
【図６】
2011104330.tif 000008
【図７】
2011104330.tif 000009
【図８】
2011104330.tif 000010
【図９】
2011104330.tif 000011
【図１０】
2011104330.tif 000012
【図１１】
2011104330.tif 000013
【図１２】
2011104330.tif 000014
【図１３】
2011104330.tif 000015
【図１４】
2011104330.tif 000016
【図１５】
2011104330.tif 000017
【図１６】
2011104330.tif 000018
【図１７】
2011104330.tif 000019
【図１８】
2011104330.tif 000020
【図１９】
2011104330.tif 000021
【図２０】
2011104330.tif 000022
【図２１】
2011104330.tif 000023
【図２２】
2011104330.tif 000024